(57)【要約】  管理対象の装置が処理したトラフィックに関する情報であるトラフィックデータを生成する生成部と、所定の収集周期の間に前記生成部がトラフィックデータを生成するときに要した計算資源の量を算出する算出部と、前記算出部が算出した計算資源の量が所定の閾値を超えた場合に、トラフィックデータが過多であると判定する判定部とを備えるトラフィックデータ収集装置。
2014021069.tif 000002
【特許請求の範囲】
【請求項１】
管理対象の装置が処理したトラフィックに関する情報であるトラフィックデータを生成する生成部と、
所定の収集周期の間に前記生成部がトラフィックデータを生成するときに要した計算資源の量を算出する算出部と、
前記算出部が算出した計算資源の量が所定の閾値を超えた場合に、トラフィックデータが過多であると判定する判定部と
を備えることを特徴とするトラフィックデータ収集装置。
【請求項２】
前記トラフィックデータを構成する要素の種別を記憶する設定記憶部と、
前記判定部によってトラフィックデータが過多であると判定された場合に、前記設定記憶部が記憶する１つまたは複数の種別を削除する削除部と
を備え、
前記生成部は、前記管理対象の装置が処理したトラフィックに関する情報のうち、前記設定記憶部が記憶する種別の要素からなるトラフィックデータを生成する
ことを特徴とする請求項１に記載のトラフィックデータ収集装置。
【請求項３】
前記削除部は、管理者から、前記トラフィックデータから減らすべき種別の入力を受け付け、前記設定記憶部から当該種別を削除する
ことを特徴とする請求項２に記載のトラフィックデータ収集装置。
【請求項４】
前記設定記憶部は、各種別に関連付けて優先度を記憶し、
前記削除部は、前記判定部によってトラフィックデータが過多であると判定された場合に、前記設定記憶部が記憶する種別のうち最も優先度が低いものを削除する
ことを特徴とする請求項２に記載のトラフィックデータ収集装置。
【請求項５】
前記判定部によってトラフィックデータが過多であると判定された場合に警告を出力する警告部
を備えることを特徴とする請求項１から請求項３のいずれか１項に記載のトラフィックデータ収集装置。
【請求項６】
前記算出部は、所定の収集周期の間に前記生成部が生成したトラフィックデータのデータ量を、前記計算資源の量として算出する
ことを特徴とする請求項１から請求項５のいずれか１項に記載のトラフィックデータ収集装置。
【請求項７】
管理対象の装置が処理したトラフィックに関する情報であるトラフィックデータを生成する生成ステップと、
前記生成したトラフィックデータをデータ記憶部に記録する記録ステップと、
前記データ記憶部が記憶するトラフィックデータのデータ量を算出する算出ステップと、
前記算出したデータ量が所定の閾値を超えた場合に、トラフィックデータが過多であると判定する判定ステップと
を備えることを特徴とするトラフィックデータ収集方法。
【請求項８】
前記生成ステップにおいて、前記管理対象の装置が処理したトラフィックに関する情報のうち、トラフィックデータを構成する要素の種別を記憶する設定記憶部が記憶する種別の要素からなるトラフィックデータを生成し、
前記判定ステップでトラフィックデータが過多であると判定した場合に、前記設定記憶部が記憶する１つまたは複数の種別を削除する削除ステップを備える
ことを特徴とする請求項７に記載のトラフィックデータ収集方法。
【請求項９】
コンピュータを、
管理対象の装置が処理したトラフィックに関する情報であるトラフィックデータを生成する生成部、
前記生成部が生成したトラフィックデータをデータ記憶部に記録する記録部、
前記データ記憶部が記憶するトラフィックデータのデータ量を算出する算出部、
前記算出部が算出したデータ量が所定の閾値を超えた場合に、トラフィックデータが過多であると判定する判定部
として機能させるためのプログラム。
【請求項１０】
前記コンピュータを、
前記判定部によってトラフィックデータが過多であると判定された場合に、前記トラフィックデータを構成する要素の種別を記憶する設定記憶部が記憶する１つまたは複数の種別を削除する削除部として機能させ、
前記生成部は、前記管理対象の装置が処理したトラフィックに関する情報のうち、前記設定記憶部が記憶する種別の要素からなるトラフィックデータを生成する
ことを特徴とする請求項９に記載のプログラム。
【発明の詳細な説明】
【技術分野】
【０００１】
本発明は、ネットワークシステムにおいてトラフィックデータの管理を行うトラフィックデータ収集装置、トラフィックデータ収集方法、及びプログラムに関する。
【背景技術】
【０００２】
ネットワークシステムの保守・管理において、当該ネットワークシステムを構成するノードの増設の要否判断や、各ノードの状態判断に、各ノードが処理したトラフィックに関する情報であるトラフィックデータが用いられている。
トラフィックデータを構成する要素の例としては、例えば、無線リソース捕捉失敗やリソースビジーを示すデータ、呼接続失敗要因、ハンドオフ失敗要因などが挙げられる。【０００３】
なお、特許文献１には、トラフィックデータを収集し、当該トラフィックデータに基づいてトラフィック量の処理許容範囲を決定する技術が開示されている。
また、特許文献２、３には、トラフィックデータを解析し、当該トラフィックデータに基づいて障害発生の有無を判断する技術が開示されている。
【先行技術文献】
【特許文献】
【０００４】
【特許文献１】特開２００７−２５９３６８号公報
【特許文献２】特開２００１−０３６４８４号公報
【特許文献３】特開２０００−２５３１４８号公報
【発明の概要】
【発明が解決しようとする課題】
【０００５】
また、無線通信技術の発展に伴い、ネットワークシステムのノードの機能が増加している。ノードの機能が増加すると、状態判断等に用いるべきトラフィックデータを構成する要素の種別が増加する。トラフィックデータを構成する要素の種別の数が過多となると、トラフィックデータ収集するための装置がトラフィックデータの収集周期内にトラフィックデータを収集しきれなくなる。【０００６】
ここで、特許文献１−３に記載の技術を用いたとしても、トラフィックの処理状態を判断することはできるが、トラフィックデータの収集に関する問題の有無を判断することはできない。
本発明の目的は、上述した課題を解決するトラフィックデータ収集装置、トラフィックデータ収集方法、及びプログラムを提供することにある。
【課題を解決するための手段】
【０００７】
本発明は上記の課題を解決するためになされたものであり、管理対象の装置が処理したトラフィックに関する情報であるトラフィックデータを生成する生成部と、所定の収集周期の間に前記生成部がトラフィックデータを生成するときに要した計算資源の量を算出する算出部と、前記算出部が算出した計算資源の量が所定の閾値を超えた場合に、トラフィックデータが過多であると判定する判定部とを備えることを特徴とするトラフィックデータ収集装置を提供する。【０００８】
典型例として、上記トラフィックデータ収集装置は、前記トラフィックデータを構成する要素の種別を記憶する設定記憶部と、前記判定部によってトラフィックデータが過多であると判定された場合に、前記設定記憶部が記憶する１つまたは複数の種別を削除する削除部とを備え、前記生成部は、前記管理対象の装置が処理したトラフィックに関する情報のうち、前記設定記憶部が記憶する種別の要素からなるトラフィックデータを生成する。【０００９】
前記削除部は、管理者から、前記トラフィックデータから減らすべき種別の入力を受け付け、前記設定記憶部から当該種別を削除するようにしても良い。【００１０】
好適例として、前記設定記憶部は、各種別に関連付けて優先度を記憶し、前記削除部は、前記判定部によってトラフィックデータが過多であると判定された場合に、前記設定記憶部が記憶する種別のうち最も優先度が低いものを削除する。【００１１】
別の好適例として、前記判定部によってトラフィックデータが過多であると判定された場合に警告を出力する警告部を備える。【００１２】
別の好適例として、前記算出部は、所定の収集周期の間に前記生成部が生成したトラフィックデータのデータ量を、前記計算資源の量として算出する。【００１３】
また、本発明は、管理対象の装置が処理したトラフィックに関する情報であるトラフィックデータを生成する生成ステップと、前記生成したトラフィックデータをデータ記憶部に記録する記録ステップと、前記データ記憶部が記憶するトラフィックデータのデータ量を算出する算出ステップと、前記算出したデータ量が所定の閾値を超えた場合に、トラフィックデータが過多であると判定する判定ステップとを備えることを特徴とするトラフィックデータ収集方法も提供する。【００１４】
典型例として、前記生成ステップにおいて、前記管理対象の装置が処理したトラフィックに関する情報のうち、トラフィックデータを構成する要素の種別を記憶する設定記憶部が記憶する種別の要素からなるトラフィックデータを生成し、前記判定ステップでトラフィックデータが過多であると判定した場合に、前記設定記憶部が記憶する１つまたは複数の種別を削除する削除ステップを備える。【００１５】
また、本発明は、コンピュータを、管理対象の装置が処理したトラフィックに関する情報であるトラフィックデータを生成する生成部、前記生成部が生成したトラフィックデータをデータ記憶部に記録する記録部、前記データ記憶部が記憶するトラフィックデータのデータ量を算出する算出部、前記算出部が算出したデータ量が所定の閾値を超えた場合に、トラフィックデータが過多であると判定する判定部として機能させるためのプログラムも提供する。【００１６】
典型例として、前記コンピュータを、前記判定部によってトラフィックデータが過多であると判定された場合に、前記トラフィックデータを構成する要素の種別を記憶する設定記憶部が記憶する１つまたは複数の種別を削除する削除部として機能させ、前記生成部は、前記管理対象の装置が処理したトラフィックに関する情報のうち、前記設定記憶部が記憶する種別の要素からなるトラフィックデータを生成する。
【発明の効果】
【００１７】
本発明によれば、トラフィックデータのデータ量に基づいて、トラフィックデータが過多であるか否かを判定することができる。
【図面の簡単な説明】
【００１８】
【図１】本発明の第１の実施形態によるＬＴＥシステムの構成を示す概略図である。
【図２Ａ】同第１の実施形態による設定画面の例を示す図である。
【図２Ｂ】同様に、上記設定画面の例を示す図である。
【図２Ｃ】同様に、上記設定画面の例を示す図である。
【図３】同第１の実施形態による保守サーバの動作を示すフローチャートである。
【図４】本発明の第２の実施形態によるＬＴＥシステムの構成を示す概略図である。
【図５Ａ】同第２の実施形態による設定画面の例を示す図である。
【図５Ｂ】同様に、上記設定画面の例を示す図である。
【図５Ｃ】同様に、上記設定画面の例を示す図である。
【図６】本発明によるトラフィックデータ収集装置の基本構成を示す概略ブロック図である。
【発明を実施するための形態】
【００１９】
《第１の実施形態》
以下、図面を参照しながら本発明の実施形態について詳しく説明する。
図１は、本発明の第１の実施形態によるＬＴＥ（Ｌｏｎｇ  Ｔｅｒｍ  Ｅｖｏｌｕｔｉｏｎ）システムの構成を示す概略図である。
本ＬＴＥシステムは：
・複数の無線基地局１００（ｅＮｏｄｅＢ）と、
・保守サーバ２００（トラフィックデータ収集装置として機能するＥＭＳ−Ｓ：Ｅｌｅｍｅｎｔ  Ｍａｎａｇｅｍｅｎｔ  Ｓｙｓｔｅｍ−Ｓｅｒｖｅｒ）と、
・保守クライアント３００（ＥＭＳ−Ｃ：Ｅｌｅｍｅｎｔ  Ｍａｎａｇｅｍｅｎｔ  Ｓｙｓｔｅｍ−Ｃｌｉｅｎｔ）
とを備える。
無線基地局１００は、通信端末との間で無線通信を行う。
保守サーバ２００は、各無線基地局１００の管理を行う。
保守クライアント３００は、保守サーバ２００に対するデータの入出力を行う。
【００２０】
保守サーバ２００は、設定部２０１、設定記憶部２０２、生成部２０３、データ記憶部２０４、記録部２０５、算出部２０６、判定部２０７、警告部２０８、削除部２０９を備える。
設定部２０１は、保守クライアント３００から、トラフィックデータの解析に要する要素の種別、トラフィックデータが過多であるか否かを判定するための閾値である第１の閾値及び第２の閾値、並びにトラフィックデータの収集周期（ＧＰ：Ｇｒａｎｕｌａｒｉｔｙ  Ｐｅｒｉｏｄ）の入力を受け付け、当該情報を設定記憶部２０２に記録する。
これにより、設定記憶部２０２は、トラフィックデータを構成する（解析に要する）要素の種別、第１の閾値、第２の閾値、及び収集周期を記憶する。
【００２１】
生成部２０３は、管理対象の装置（無線基地局１００など）が処理したトラフィック毎に、設定記憶部２０２が記憶する情報に従って、当該トラフィックに関する情報であるトラフィックデータを生成する。
データ記憶部２０４は、生成部２０３が生成したトラフィックデータを記憶する。
【００２２】
記録部２０５は、生成部２０３が生成したトラフィックデータをデータ記憶部２０４に記録する。
算出部２０６は、データ記憶部２０４が記憶するトラフィックデータのデータ量（ファイルサイズとして算出）の総和を算出する。
判定部２０７は、算出部２０６が算出したデータ量と予め定められた第１の閾値及び第２の閾値とを比較することで、トラフィックデータが過多であるか否かを判定する。なお、第１の閾値は、第２の閾値より小さい値である。
【００２３】
警告部２０８は、判定部２０７によってデータ量が第１の閾値を超えていると判定された場合に、保守クライアント３００に警告メッセージを送信する。
削除部２０９は、判定部２０７によってデータ量が第２の閾値を超えていると判定された場合に、保守クライアント３００の操作に基づいて設定記憶部２０２が記憶する、トラフィックデータを構成する要素の１つまたは複数の種別を削除する。
【００２４】
ここで、保守サーバ２００の動作について説明する。
まず、保守サーバ２００の設定記憶部２０２に設定情報を記録する際の動作について説明する。
保守クライアント３００が管理者の操作により、保守サーバ２００に設定情報の変更要求を送信すると、保守サーバ２００の設定部２０１は、図２Ａ〜２Ｃに示す内容を有する設定画面を保守クライアント３００に表示させる。
【００２５】
図２Ａ〜２Ｃは、本発明の第１の実施形態による設定画面の表示例を示す図である。図２Ａ〜２Ｃにおいて太枠の部分が書き換え可能な情報である。
設定画面には、保守サーバ２００の設定記憶部２０２が記憶する情報が表示される。
保守クライアント３００は、このうち、図２Ａに示す収集周期、第１の閾値、第２の閾値、図２Ｂに示すトラフィックデータの各要素の記録の要否、及び以下に説明する図２Ｃ内の基地局情報およびセル情報を書き換えることができる。
ここで、図２Ａに示す最大データ量は、自装置の処理能力において収集周期内にトラフィックデータの処理を完了することができる最大のデータ量を示す。
また、稼働率は、現在データ量が最大データ量のうちのどれだけの割合であるかを示す。
【００２６】
なお、図２Ｂに示すように、トラフィックデータの要素は、各無線基地局１００から取得する基地局情報に含まれる要素と、当該無線基地局１００の配下のセルから取得するセル情報に含まれる要素とに分けることができる。
また、図２Ｃに示すように、無線基地局１００ごとに基地局情報を取得する（Ｕｎｌｏｃｋｅｄ）か否（Ｌｏｃｋｅｄ）か、及びセル情報を取得するか否かを設定することができる。
【００２７】
そして、保守クライアント３００が設定画面に表示された情報の書き換えを行うと、保守サーバ２００の設定部２０１は、保守クライアント３００から取得した情報に基づいて、設定記憶部２０２の情報を書き換える。
【００２８】
次に、保守サーバ２００がトラフィックデータを収集する際の動作について説明する。
図３は、本発明の第１の実施形態による保守サーバ２００の動作を示すフローチャートである。
保守サーバ２００が稼動すると、生成部２０３は、各無線基地局１００の当該通信ネットワーク上のトラフィックを監視し、トラフィックが発生したか否かを判定する（ステップＳ１０１）。
【００２９】
生成部２０３は、トラフィックが発生したと判定した場合（ステップＳ１０１：ＹＥＳ）、当該トラフィックについて、設定記憶部２０２が記憶する種別の要素を抽出し、トラフィックデータを生成する（ステップＳ１０２）。
次に、記録部２０５は、生成部２０３が生成したトラフィックデータをデータ記憶部２０４に記録する（ステップＳ１０３）。
【００３０】
ステップＳ１０１において生成部２０３が、トラフィックが発生していないと判定した場合（ステップＳ１０１：ＮＯ）、またはステップＳ１０３で記録部２０５がトラフィックデータを記録した場合、判定部２０７は、動作開始からの経過時間が、設定記憶部２０２が記憶する収集周期に達したか否かを判定する（ステップＳ１０４）。
【００３１】
判定部２０７は、経過時間が収集周期に達していないと判定した場合（ステップＳ１０４：ＮＯ）、ステップＳ１０１に戻り、上述のトラフィックの監視動作を継続する。
【００３２】
他方、判定部２０７が、経過時間が収集周期に達したと判定した場合（ステップＳ１０４：ＹＥＳ）、算出部２０６は、データ記憶部２０４が記憶するトラフィックデータの総データ量を算出する（ステップＳ１０５）。
次に、判定部２０７は、算出部２０６が算出した総データ量が、設定記憶部２０２が記憶する第１の閾値が示すデータ量を超えたか否かを判定する（ステップＳ１０６）。これにより、判定部２０７は、トラフィックデータが過多であるか否かを判定する。
【００３３】
判定部２０７は、総データ量が第１の閾値を超えたと判定した場合（ステップＳ１０６：ＹＥＳ）、算出部２０６が算出した総データ量が、設定記憶部２０２が記憶する第２の閾値が示すデータ量を超えたか否かを判定する（ステップＳ１０７）。これにより、判定部２０７は、保守クライアント３００に対して処理すべき内容を決定する。
【００３４】
判定部２０７が、総データ量が第２の閾値を超えていないと判定した場合（ステップＳ１０７：ＮＯ）、警告部２０８は、保守クライアント３００に対し、警告を示すアラーム表示を出力する（ステップＳ１０８）。
【００３５】
他方、判定部２０７が、総データ量が第２の閾値を超えたと判定した場合（ステップＳ１０７：ＹＥＳ）、削除部２０９は、保守クライアント３００に対し、設定記憶部２０２が記憶する種別の一覧を出力し、トラフィックデータから除外する種別の指定を受け付ける（ステップＳ１０９）。
管理者が保守クライアント３００の操作により１または複数の種別を指定すると、削除部２０９は、指定された種別を設定記憶部２０２から削除する（ステップＳ１１０）。これにより、その種別に対応するトラフィックデータの構成要素が除外される。
【００３６】
ステップＳ１０６において判定部２０７が、総データ量が第１の閾値を超えていないと判定した場合（ステップＳ１０６：ＮＯ）、ステップＳ１０８で警告部２０８が警告を出力した場合、またはステップＳ１１０で削除部２０９が指定された種別を削除した場合、保守サーバ２００は、データ記憶部２０４が記憶するトラフィックデータの解析処理を行い、当該トラフィックデータをデータ記憶部２０４から削除する（ステップＳ１１１）。
【００３７】
このように、本実施形態によれば、トラフィックデータ収集装置は、トラフィックデータのデータ量に基づいて、トラフィックデータが過多であるか否かを判定することができる。これにより、当該判定結果に基づいて、管理者への警告を行うことや、トラフィックデータを構成する要素を削減することで、トラフィックデータの収集周期内にトラフィックデータを収集しきれなくなることを防ぐことができる。
【００３８】
《第２の実施形態》
次に、本発明の第２の実施形態について説明する。
図４は、本発明の第２の実施形態によるＬＴＥシステムの構成を示す概略図である。
第２の実施形態によるＬＴＥシステムは、第１の実施形態のＬＴＥシステムと、設定記憶部２０２が記憶する情報及び削除部２０９の動作が異なる。
【００３９】
設定記憶部２０２は、トラフィックデータを構成する要素の種別、第１の閾値、第２の閾値、及び収集周期を記憶する。また、設定記憶部２０２は、要素の種別に関連付けて当該種別の優先順位を記憶する。ここで、設定記憶部２０２に設定情報を記録する際の動作について説明する。
【００４０】
図５Ａ〜５Ｃは、本発明の第２の実施形態による設定画面の例を示す図である。図５Ａ〜５Ｃにおいて太枠の部分が書き換え可能な情報である。
設定画面には、保守サーバ２００の設定記憶部２０２が記憶する情報が表示される。
保守クライアント３００は、このうち、図５Ａに示す収集周期、第１の閾値、第２の閾値、図５Ｂに示すトラフィックデータの各要素の記録の要否及びその優先度、及び図５Ｃ内の基地局情報およびセル情報を書き換えることができる。
そして、保守クライアント３００が設定画面に表示された情報の書き換えを行うと、保守サーバ２００の設定部２０１は、保守クライアント３００から取得した情報に基づいて、設定記憶部２０２の情報を書き換える。
【００４１】
また、本実施形態の削除部２０９は、判定部２０７によってデータ量が第２の閾値を超えていると判定された場合に、設定記憶部２０２が記憶する種別のうち最も優先度が低いものを削除する。これにより、トラフィックデータのデータ量が過多となった場合における、トラフィックデータの制限において、管理者からの削除すべき種別の入力を省略することができる。
【００４２】
《第３の実施形態》
次に、本発明の第３の実施形態について説明する。
第１の実施形態、第２の実施形態による算出部２０６は、トラフィックデータの総データ量を算出する場合について説明したが、第３の実施形態による算出部２０６は、保守サーバ２００のＣＰＵ（Ｃｅｎｔｒａｌ  Ｐｒｏｃｅｓｓｉｎｇ  Ｕｎｉｔ）使用率（生成部２０３がトラフィックデータを生成する際の処理に対して）及び/またはトラフィックデータの収集に要した時間を算出する。
また、設定記憶部２０２は、第１の閾値、第２の閾値として、ＣＰＵ使用率や収集に要する時間についての閾値を記憶する。
【００４３】
そして、警告部２０８は、ＣＰＵ使用率またはトラフィックデータの収集に要した時間が第１の閾値を超えた場合に、保守クライアント３００に警告を出力する。また、削除部２０９は、ＣＰＵ使用率またはトラフィックデータの収集に要した時間が第２の閾値を超えた場合に、設定記憶部２０２が記憶するトラフィックデータの要素の種別の削減をする。
【００４４】
以上、本発明のいくつかの実施形態について説明したが、具体的な構成は上述したものに限られない。
例えば、上述した実施形態では、トラフィックデータ収集装置をＬＴＥシステムに組み込んだ場合について説明したが、これに限られず、他の通信システムに組み込むこともできる。
【００４５】
《基本構成》
図６は、本発明によるトラフィックデータ収集装置の基本構成を示す概略ブロック図である。
上述した実施形態では、本発明によるトラフィックデータ収集装置の一実施形態として図１や図４に示す保守サーバ２００について説明したが、本発明によるトラフィックデータ収集装置の基本構成は、図６に示すとおりである。
すなわち、本発明によるトラフィックデータ収集装置は、生成部２０３、算出部２０６、及び判定部２０７を基本構成とする。
【００４６】
生成部２０３は、管理対象の装置が処理したトラフィックに関する情報であるトラフィックデータを生成する。
算出部２０６は、所定の収集周期の間に生成部２０３がトラフィックデータを生成するときに要した計算資源の量を算出する。
判定部２０７は、算出部２０６が算出した計算資源の量が所定の閾値を超えた場合に、トラフィックデータが過多であると判定する。
これにより、トラフィックデータ収集装置は、トラフィックデータのデータ量に基づいて、トラフィックデータが過多であるか否かを判定することができる。
【００４７】
上述の保守サーバ２００は内部に、コンピュータシステムを有している。そして、上述した各処理部の動作は、プログラムの形式でコンピュータ読み取り可能な記録媒体に記憶されており、このプログラムをコンピュータが読み出して実行することによって、上記処理が行われる。
ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００４８】
また、上記プログラムは、前述した機能の一部を実現するためのものであっても良い。
さらに、前述した機能をコンピュータシステムにすでに記録されているプログラムとの組み合わせで実現できるもの、いわゆる差分ファイル（差分プログラム）であっても良い。
【００４９】
上記の実施形態の一部又は全部は、以下の付記のようにも記載されうるが、以下には限られない。
【００５０】
（付記１）
管理対象の装置が処理したトラフィックに関する情報であるトラフィックデータを生成する生成部と、
所定の収集周期の間に前記生成部がトラフィックデータを生成するときに要した計算資源の量を算出する算出部と、
前記算出部が算出した計算資源の量が所定の閾値を超えた場合に、トラフィックデータが過多であると判定する判定部と
を備えることを特徴とするトラフィックデータ収集装置。
【００５１】
（付記２）
前記トラフィックデータを構成する要素の種別を記憶する設定記憶部と、
前記判定部によってトラフィックデータが過多であると判定された場合に、前記設定記憶部が記憶する１つまたは複数の種別を削除する削除部と
を備え、
前記生成部は、前記管理対象の装置が処理したトラフィックに関する情報のうち、前記設定記憶部が記憶する種別の要素からなるトラフィックデータを生成する
ことを特徴とする付記１に記載のトラフィックデータ収集装置。
【００５２】
（付記３）
前記削除部は、管理者から、前記トラフィックデータから減らすべき種別の入力を受け付け、前記設定記憶部から当該種別を削除する
ことを特徴とする付記２に記載のトラフィックデータ収集装置。
【００５３】
（付記４）
前記設定記憶部は、各種別に関連付けて優先度を記憶し、
前記削除部は、前記判定部によってトラフィックデータが過多であると判定された場合に、前記設定記憶部が記憶する種別のうち最も優先度が低いものを削除する
ことを特徴とする付記２に記載のトラフィックデータ収集装置。
【００５４】
（付記５）
前記判定部によってトラフィックデータが過多であると判定された場合に警告を出力する警告部
を備えることを特徴とする付記１から付記３のいずれか１項に記載のトラフィックデータ収集装置。
【００５５】
（付記６）
前記算出部は、所定の収集周期の間に前記生成部が生成したトラフィックデータのデータ量を、前記計算資源の量として算出する
ことを特徴とする付記１から付記５のいずれか１項に記載のトラフィックデータ収集装置。
【００５６】
（付記７）
前記算出部は、所定の収集周期の間に前記生成部がトラフィックデータを生成する際のＣＰＵ使用率を、前記計算資源の量として算出する
ことを特徴とする付記１から付記５のいずれか１項に記載のトラフィックデータ収集装置。
【００５７】
（付記８）
前記算出部は、前記生成部がトラフィックデータの収集に要した時間を、前記計算資源の量として算出する
ことを特徴とする付記１から付記５のいずれか１項に記載のトラフィックデータ収集装置。
【００５８】
（付記９）
管理対象の装置が処理したトラフィックに関する情報であるトラフィックデータを生成する生成ステップと、
前記生成したトラフィックデータをデータ記憶部に記録する記録ステップと、
前記データ記憶部が記憶するトラフィックデータのデータ量を算出する算出ステップと、
前記算出したデータ量が所定の閾値を超えた場合に、トラフィックデータが過多であると判定する判定ステップと
を備えることを特徴とするトラフィックデータ収集方法。
【００５９】
（付記１０）
前記生成ステップにおいて、前記管理対象の装置が処理したトラフィックに関する情報のうち、トラフィックデータを構成する要素の種別を記憶する設定記憶部が記憶する種別の要素からなるトラフィックデータを生成し、
前記判定ステップでトラフィックデータが過多であると判定した場合に、前記設定記憶部が記憶する１つまたは複数の種別を削除する削除ステップを備える
ことを特徴とする付記９に記載のトラフィックデータ収集方法。
【００６０】
（付記１１）
コンピュータを、
管理対象の装置が処理したトラフィックに関する情報であるトラフィックデータを生成する生成部、
前記生成部が生成したトラフィックデータをデータ記憶部に記録する記録部、
前記データ記憶部が記憶するトラフィックデータのデータ量を算出する算出部、
前記算出部が算出したデータ量が所定の閾値を超えた場合に、トラフィックデータが過多であると判定する判定部
として機能させるためのプログラム。
【００６１】
（付記１２）
前記コンピュータを、
前記判定部によってトラフィックデータが過多であると判定された場合に、前記トラフィックデータを構成する要素の種別を記憶する設定記憶部が記憶する１つまたは複数の種別を削除する削除部として機能させ、
前記生成部は、前記管理対象の装置が処理したトラフィックに関する情報のうち、前記設定記憶部が記憶する種別の要素からなるトラフィックデータを生成する
ことを特徴とする付記１１に記載のプログラム。
【００６２】
この出願は、２０１２年８月２日に出願された日本出願特願２０１２−１７２３８１号を基礎とする優先権を主張し、その開示の全てをここに取り込む。
【産業上の利用可能性】
【００６３】
本発明によれば、トラフィックデータのデータ量に基づいて、トラフィックデータが過多であるか否かを判定することができる。
【符号の説明】
【００６４】
１００…無線基地局
２００…保守サーバ
２０１…設定部
２０２…設定記憶部
２０３…生成部
２０４…データ記憶部
２０５…記録部
２０６…算出部
２０７…判定部
２０８…警告部
２０９…削除部
３００…保守クライアント
【図１】
2014021069.tif 000003
【図２Ａ】
2014021069.tif 000004
【図２Ｂ】
2014021069.tif 000005
【図２Ｃ】
2014021069.tif 000006
【図３】
2014021069.tif 000007
【図４】
2014021069.tif 000008
【図５Ａ】
2014021069.tif 000009
【図５Ｂ】
2014021069.tif 000010
【図５Ｃ】
2014021069.tif 000011
【図６】
2014021069.tif 000012
【国際調査報告】
2014021069.tif 000013
2014021069.tif 000014
2014021069.tif 000015
2014021069.tif 000016